(57)【要約】【課題】効率よく画像処理の対象となる画像データを抽出することができる画像読取装置を提供すること目的とする。【解決手段】読取画像データに所定の判定処理を適用し、その判定結果に基づいて画像処理を行う画像読取装置であって、前記判定処理の判定結果を得られなかった読取画像データを表示してユーザに判定依頼するようにした。【選択図】        図１
2008311899.tif 000002
【特許請求の範囲】
【請求項１】
読取画像データに所定の判定処理を適用し、その判定結果に基づいて画像処理を行う画像読取装置であって、
前記判定処理の判定結果を得られなかった読取画像データを表示してユーザに判定依頼することを特徴とする画像読取装置。
【請求項２】
前記ユーザによる判定結果が得られると、当該読取画像データについて、当該ユーザの判定結果に基づいて前記画像処理を適用することを特徴とする請求項１記載の画像読取装置。
【請求項３】
前記ユーザへの判定依頼は、前記判定処理の判定結果を得られなかった読取画像データを一覧表示して、それぞれの読取画像データごとに行うとともに、
既に前記ユーザによる判定結果が得られた読取画像データについては、次に一覧表示する対象から外すことを特徴とする請求項１または請求項２記載の画像読取装置。
【請求項４】
前記判定処理の判定結果を得られなかった読取画像データを表示する際、表示一画面あたりに所定数の読取画像データを配列して表示するとともに、当該読取画像データの数が、前記表示画面単位でいくつ存在するかを表示することを特徴とする請求項１または請求項２または請求項３記載の画像読取装置。
【請求項５】
読取画像データに所定の判定処理を適用し、その判定結果に基づいて画像処理を行う画像読取装置であって、
前記判定処理の判定結果を得られなかった読取画像データを表示してユーザに編集依頼することを特徴とする画像読取装置。
【請求項６】
前記ユーザによる編集が行われると、当該編集後の読取画像データについて、前記画像処理を適用することを特徴とする請求項５記載の画像読取装置。
【請求項７】
前記ユーザへの編集依頼は、前記判定処理の判定結果を得られなかった読取画像データを一覧表示して、それぞれの読取画像データごとに行うとともに、
既に前記ユーザによる編集が行われた読取画像データについては、次に一覧表示する対象から外すことを特徴とする請求項５または請求項６記載の画像読取装置。
【請求項８】
読取画像データに所定の判定処理を適用し、その判定結果に基づいて画像処理を行う画像読取装置の制御方法であって、
前記判定処理の判定結果を得られなかった読取画像データを表示してユーザに判定依頼することを特徴とする画像読取装置の制御方法。
【請求項９】
読取画像データに所定の判定処理を適用し、その判定結果に基づいて画像処理を行う画像読取装置の制御方法であって、
前記判定処理の判定結果を得られなかった読取画像データを表示してユーザに編集依頼することを特徴とする画像読取装置の制御方法。
【請求項１０】
前記ユーザによる編集が行われると、当該編集後の読取画像データについて、前記画像処理を適用することを特徴とする請求項９記載の画像読取装置の制御方法。
【発明の詳細な説明】
【技術分野】
【０００１】
本発明は、読取画像データに所定の判定処理を適用し、その判定結果に基づいて画像処理を行う画像読取装置に関する。
【背景技術】
【０００２】
従来、例えば、ドキュメントボックス機能を備えた画像読取装置では、ドキュメントボックス機能に蓄積した画像データ群から、ユーザが指定した条件を満たした対象を検索する技術としては、例えば、特許文献１〜３に開示されようなものがある。
【０００３】
これらの従来技術では、ドキュメントボックス機能に蓄積された画像データ群に対して、指定された条件で検索処理を適用して絞り込んだり、その絞り込みにより取得した画像データを表示装置にプレビュー表示して、ユーザが画像データを確認できるようにしたり、ユーザが一度表示閲覧したものをプレビュー対象から外すことによって効率を向上したりしている。
【特許文献１】特開２００６−３５０８４７号公報
【特許文献２】特開２０００−２７６４８４号公報
【特許文献３】特開２００６−２６２１８６号公報
【発明の開示】
【発明が解決しようとする課題】
【０００４】
しかしながら、例えば、大量の読取原稿を読み取ってドキュメントボックス機能の１つのファイルボックスに保存する際、全ての原稿の向きがそろった状態で保存できるように、必要に応じて画像データに画像処理を適用する場合、効率よく画像処理の対象となる画像データを抽出することが困難であった。
【０００５】
本発明は、かかる実情に鑑みてなされたものであり、効率よく画像処理の対象となる画像データを抽出することができる画像読取装置およびその制御方法を提供すること目的とする。
【課題を解決するための手段】
【０００６】
本発明は、読取画像データに所定の判定処理を適用し、その判定結果に基づいて画像処理を行う画像読取装置であって、前記判定処理の判定結果を得られなかった読取画像データを表示してユーザに判定依頼するようにしたものである。
【０００７】
また、前記ユーザによる判定結果が得られると、当該読取画像データについて、当該ユーザの判定結果に基づいて前記画像処理を適用するようにしたものである。
【０００８】
また、前記ユーザへの判定依頼は、前記判定処理の判定結果を得られなかった読取画像データを一覧表示して、それぞれの読取画像データごとに行うとともに、既に前記ユーザによる判定結果が得られた読取画像データについては、次に一覧表示する対象から外すようにしたものである。
【０００９】
また、前記判定処理の判定結果を得られなかった読取画像データを表示する際、表示一画面あたりに所定数の読取画像データを配列して表示するとともに、当該読取画像データの数が、前記表示画面単位でいくつ存在するかを表示するようにしたものである。
【００１０】
また、読取画像データに所定の判定処理を適用し、その判定結果に基づいて画像処理を行う画像読取装置であって、前記判定処理の判定結果を得られなかった読取画像データを表示してユーザに編集依頼するようにしたものである。
【００１１】
また、前記ユーザによる編集が行われると、当該編集後の読取画像データについて、前記画像処理を適用するようにしたものである。
【００１２】
また、前記ユーザへの編集依頼は、前記判定処理の判定結果を得られなかった読取画像データを一覧表示して、それぞれの読取画像データごとに行うとともに、既に前記ユーザによる編集が行われた読取画像データについては、次に一覧表示する対象から外すようにしたものである。
【００１３】
また、読取画像データに所定の判定処理を適用し、その判定結果に基づいて画像処理を行う画像読取装置の制御方法であって、前記判定処理の判定結果を得られなかった読取画像データを表示してユーザに判定依頼するようにしたものである。
【００１４】
また、読取画像データに所定の判定処理を適用し、その判定結果に基づいて画像処理を行う画像読取装置の制御方法であって、前記判定処理の判定結果を得られなかった読取画像データを表示してユーザに編集依頼するようにしたものである。また、前記ユーザによる編集が行われると、当該編集後の読取画像データについて、前記画像処理を適用するようにしたものである。
【発明の効果】
【００１５】
したがって、本発明によれば、画像処理が必要な読取画像データを、適切にユーザに提供することができるので、ユーザの処理負担を軽減することができるという効果を得る。
【発明を実施するための最良の形態】
【００１６】
以下、添付図面を参照しながら、本発明の実施の形態を詳細に説明する。
【００１７】
図１は、本発明の一実施例にかかる画像処理装置の一例を示している。この画像処理装置は、読取原稿の画像データを機器内外の蓄積媒体への保存もしくは外部への送信もしくは紙媒体への印刷等が可能なものである。
【００１８】
同図において、画像入力装置１は、内部バス１３と、それに接続されたＣＰＵ（中央処理装置）８、操作画面表示手段５、アプリケーション２、通信管理手段９、画像入力デバイス１１、記憶装置１２、画像変換装置１４の各部から構成されている。
【００１９】
また、内部バス１３を介して、ＣＰＵ８、操作画面表示手段５、アプリケーション２、通信管理手段９、画像入力デバイス１１、記憶装置１２、画像変換装置１４、画像特徴判定手段１５の各部は、データのやり取りができるような構成となっている。
【００２０】
また、アプリケーション２には、読取制御手段３、画像データ管理手段４、条件記憶手段６、プレビュー管理手段７が含まれる。操作画面表示手段５から利用者によって指定された読み取り条件の設定は条件記憶手段６に記憶され、利用者による読み取り開始の指示があればその条件設定を読取制御手段３に指定し、読み取り制御を開始する。画像入力デバイス１１によって紙原稿は読み取られ、デジタル化された画像データとなり記憶装置１２に一時的に保持される。
【００２１】
また、画像特徴判定手段１５によって画像データの特徴を解析する。その特徴から画像データに変換をかける必要がある場合には記憶装置１２に保持する前に画像変換装置１４によって画像の特徴を変換してもよいし、条件設定のみを保持して後の工程で行ってもよい。記憶装置１２に保持された画像データは画像データ管理手段４によってあるデータ群に論理的にまとめて画像データの管理を行う。このときに画像データと対応付けされた画像データの諸情報も管理可能である。
【００２２】
また、読み取り制御を完了した際、操作画面表示手段５による画像データの表示確認を行う場合には、プレビュー管理手段７によって表示の制御を行う。プレビュー管理手段７は、画像データ管理手段４から操作画面表示手段５に表示する画像データそのものもしくはプレビュー用に作成された画像データを取得しプレビューする。
【００２３】
また、プレビュー管理手段７は、操作画面表示手段５に表示された画像データに対して利用者によって編集された情報を、表示している画像データと対応付けされている記憶装置１２の実際の画像データへ反映する。その場合、画像データ管理手段４で管理されている諸情報の更新も行う。また、画像データそのものへの変更を行う場合には、画像変換装置１４によって該当する画像データを変換し再度記憶装置１２へ記録、画像データ管理手段４にて再度管理される。
【００２４】
本実施例では、読み取って得た画像データについて、ＯＣＲ処理を適用し、記録されている文字の方向を判定することで、読取時の原稿の向きを調べる。例えば、文字の方向が原稿の縦長方向に沿っている場合には、原稿の向きを「０度」と判断し、それを基準として、文字の方向が原稿の縦長方向と反対向きの場合には、原稿の向きを「１８０度」と判断し、文字の方向が原稿の縦長方向と右回りに９０度回転した方向の場合には、原稿の向きを「９０度」と判断し、文字の方向が原稿の縦長方向と左回りに９０度（右回りに２７０度）回転した方向の場合には、原稿の向きを「２７０度」と判断する。
【００２５】
そして、原稿の向きが「９０度」、「１８０度」、「２７０度」と判定された画像データについては、それぞれ対応する回転処理を行って、原稿の向きが「０度」になるように画像データを変換処理し、その変換後の画像データで元の画像データを置き換えることで、原稿の向きがそろった画像データを蓄積できるようにしている。
【００２６】
ここで、画像データにＯＣＲ処理を適用した場合、その画像データの読取態様によっては、文字の切り出しがうまくいかず、文字の方向を判定することができないことがある。
【００２７】
そこで、本実施例では、そのように文字の方向を判定することができなかった画像データ（以下、「該当画像データ」という）については、画像データをプレビューしてユーザに提示し、文字の方向などを判定するように依頼できるようにしている。
【００２８】
そして、ユーザにより文字方向の判定結果が得られると、その判定結果に応じて上述した画像データの変換処理を適用し、該当画像データについて、原稿の向きをそろえることができるようにしている。
【００２９】
また、読取動作後には、該当画像データのみを選択してユーザにプレビュー表示し、原稿の向き（文字の向き）を判定するように依頼するようにしている。例えば、該当画像データがページ４，５，１０であった場合、ページ４を表示しているプレビュー画面で次のページを選択する操作が行われると、ページ５に飛び、ページ５を表示しているプレビュー画面で次のページを選択する操作が行われると、ページ１０に飛ぶ。
【００３０】
また、ユーザによる判定作業や編集作業が行われた後では、当該ページについては該当画像データの指定から外すことで、その後の該当画像データのプレビュー画面で、修正後のページが表示されないようにしている。例えば、該当画像データがページ４，５，１０の場合で、ページ５の編集作業が行われた場合、それ以降、プレビュー画面では、ページ４とページ１０のみが表示されることとなる。それにより、ユーザは効率よく編集作業を行うことができる。
【００３１】
図２は、利用者による原稿読み取り条件の設定と、読み取りにて画像データ生成を行い管理し、操作画面表示手段５に画像データをプレビュー表示するところまでの基本的な流れの例である。
【００３２】
利用者は操作画面表示手段５に表示されている原稿の読み取り条件を設定する。設定された読み取り条件は条件記憶手段６に記録される。利用者がその条件で読み取りを行う場合には操作画面表示手段５から読み取りのスタートを行う。
【００３３】
そのスタートにより読取制御手段３に読み取り開始が指示される。読取制御手段３は条件記憶手段６から設定されている読み取り条件を取得する。読取制御手段３はその条件を元に画像入力デバイス１１に読み取り開始を指示する。画像入力デバイス１１は原稿読み取りが可能な条件がそろったら原稿の読み取りを行う。
【００３４】
読み取りが正常に完了した場合、生成された画像データを記憶装置１２に記録する。このとき画像データの特徴から出力する画像データもしくはそれに付加される諸情報を変更する必要がある場合には画像データの特徴情報を画像特徴判定手段１５に通知する。
【００３５】
画像特徴判定手段１５は特徴情報から画像データの特徴を判定する。特徴とは例えば、原稿がカラー原稿であるのか白黒原稿であるのか、原稿が正しく読める方向を０度とした場合に入力された画像データの向きの角度は０度、９０度、１８０度、２７０度のどれであるか、などである。ここで判定された情報を読取制御手段３を通知する。
【００３６】
また、画像入力デバイス１１が一連の読み取り動作を完了したら読取制御手段３に完了を通知する。読取制御手段３は画像特徴判定手段１５からの情報でその特徴から画像データの変換が必要と判断した場合、画像変換装置に画像変換を指示する。
【００３７】
画像変換を指示する際、記録装置にあるどの画像データをどのように変換するかを指示する。画像変換装置は画像変換の対象となる画像データを記憶装置１２から取得する。画像変換装置は取得した画像データを読取制御手段３から指定された条件で変換を行う。変換された画像データは再び記憶装置１２に記録される。このとき元の画像データはそのまま残る場合もあれば消去され変換後の画像データに置き換わる場合もある。
【００３８】
画像変換装置は変換が完了したことを読取制御手段３に通知する。読取制御手段３は記憶装置１２にある画像データのアドレスとその画像データに対応付けされる諸情報を画像データ管理手段に登録し論理的に画像データは管理される。読取制御手段３は読み取り完了を操作画面表示手段５に通知することで、利用者が読み取り完了したことを認識できる表示を行う。
【００３９】
また、このとき読み取った画像データの結果を操作画面表示手段５にプレビューする場合には、プレビュー管理手段７にプレビュー表示を指示する。プレビュー管理手段７はプレビュー表示する該当画像データを取得するために画像データ管理手段４に論理的に管理されている画像データから実画像データを取得するために問い合わせを行う。
【００４０】
画像データ管理手段４は記憶装置１２からその該当画像データの実画像データを取得する。画像データ管理手段４はその実画像データのありかをプレビュー管理手段７に通知する。プレビュー管理手段７は操作画面表示手段５にその実画像データを表示するように依頼する。
【００４１】
これにより操作画面表示手段５にプレビュー画像が表示される。
【００４２】
次に、図３のフローチャートにて、原稿の特徴を決定づけるための条件を満たさない画像データのみを利用者が確認するプレビューを行う流れを説明する。
【００４３】
利用者による読み取り原稿の条件設定を行い、読み取りを開始する（処理１０１〜１０３）。
【００４４】
このときの条件設定とともにプレビューを行うか否かの設定を行う場合もある。また、条件設定では、原稿の特徴から出力結果を決定する指示が行える。また、これについては利用者の明示的な指示がなくとも画像入力装置のシステムで自動的に設定される場合もある。
【００４５】
読み取られた原稿の特徴を判断する（処理１０４）。その原稿の特徴を判断する場合、その判断アルゴリズムの精度によってはその特徴を確証できない場合がある。判断アルゴリズムの中で確証できない条件に該当する画像データ（以下、「該当画像データ」という）に関しては該当画像データとして管理される（判断１０５、処理１０６）。これを読み取り終了まで繰り返す（判断１０７のＮＯループ）。
【００４６】
読み取りが終了した時点（判断１０７の結果がＹＥＳ）で、読み取った画像データのプレビューが開始する。このとき利用者によってプレビューを行うことが指示されていなければ（判断１０８の結果がＮＯ）、プレビューは行われず一連のフローが終了する。プレビューを行うことが指示されている場合には（判断１０８の結果がＹＥＳ）、操作画面表示手段５にて読み取り画像データのプレビューが行われる。
【００４７】
プレビューの際、該当画像データを含む全ての読み取り画像データを対象としてプレビューするか、該当画像データのみの表示をするかを選択できる（判断１０９、処理１１０，１１１）。これは利用者によって選択させてもよいし、システムで決定してどちらかを判断してもよい。
【００４８】
次に、プレビュー時の動作を図４の画面例にて説明する。この画面は一例であり、本発明の課題を解決するのであれば、他のレイアウトや画面遷移であってもよい。
【００４９】
同図（ａ）の画面３１は、プレビューを行っている画面である。画面例では２０ページの画像データの１０ページ目をプレビューしている。ここで他の画像データをプレビューする場合には「ページ切り替え」の要素３２によって切り替える。
【００５０】
この場合、切り替え対象の画像データは読み取った全ての画像データとなる。それとは別の切り替え手段として、「確認が必要なページへの移動」がある。これが本発明の該当画像データのみのプレビューを行うことができる手段である。
【００５１】
「戻る」の要素３３は現在表示されているページから一つ前にある該当画像データをプレビューする操作キーである。また、要素３４にはその移動先のページ数が表示される。また、「進む」の要素３５は現在表示されているページから一つ後にある該当画像データをプレビューする操作キーである。また、要素３６にはその移動先のページ数が表示される。要素３７は該当画像データの数とその該当画像データ中のプレビューを行っているページ数である。画面例の２／５は、全画像データ中に５ページある該当画像データの中で、画像データの管理上、初めから数えて２番目の該当画像データを表示していることを示している。
【００５２】
要素３８は、該当画像データ中の確認済み（プレビューで閲覧済み）した画像データの数と、画像編集を行った画像データの数を示している。編集については要素３９にある「編集」の操作キーから行い、編集内容が確定した場合を編集済みとしている。
【００５３】
要素３３の「戻る」の操作キーを操作した場合、同図（ｃ）の画面４１のように遷移する。この場合は、１０ページ目を表示していた状態で「戻る」の操作キーが操作されたので、その一つ前の該当画像データである４ページ目が表示されている。それに従い要素３４，３６，３７，３８は、４ページ目が表示されている状態でそれぞれに合った表示に変化する。
【００５４】
また、要素３５の「進む」の操作キーを操作した場合、同図（ｂ）の画面４０のように遷移し、「戻る」の場合と同じように表示が変化する。
【００５５】
次に、図５，６のフローチャートにて、閲覧表示済みや編集済み、もしくは利用者による指定にてプレビューの際に該当画像データとしてのプレビューから除外する流れを説明する。
【００５６】
プレビューされる設定で読み取りを行い、読み取り完了して最初の１ページ目を表示させるところまで行う（処理２０１〜２０３）。
【００５７】
ここで他の画像ページについてプレビューを行うかどうかは利用者の判断となり（判断２０４）、行わない場合には（判断２０４の結果がＮＯ）プレビューは終了する。
【００５８】
他の画像ページについてプレビューを行う場合には（判断２０４の結果がＹＥＳ）、表示させようとする画像データによって流れは変わる。すなわち、該当画像データではない画像データが選択された場合には（判断２０５の結果がＮＯ）、その選択された画像データをプレビューする（処理２０６）。その後は判断２０４へ戻る。
【００５９】
一方、該当画像データが選択された場合には（判断２０５の結果がＹＥＳ）、その選択された該当画像データをプレビューする（処理２１０）。
【００６０】
ここで、閲覧表示済みの該当画像データは該当画像データから外すという設定が予めされている場合には、その該当画像データを該当画像データの管理から除外する（判断２１１、処理２１２）。
【００６１】
また、画像が編集される場合（判断２１３の結果がＹＥＳ、処理２１４）、画像編集済みの該当画像データは該当画像データから外すという設定が予めされている場合には、その該当画像データを該当画像データの管理から除外する（判断２１５の結果がＹＥＳ、処理２１６）。
【００６２】
また、利用者によって該当画像データごとに該当画像データから除外する設定がなされる場合、その除外する設定がされた該当画像データを該当画像データの管理から除外する（判断２１７、処理２１８）。
【００６３】
上記、該当画像データから除外された該当画像データは、管理から外れるため、該当画像データの存在する個数などを更新する必要がある（処理２１９）。その後は処理２０４に戻る。
【００６４】
また、図７は閲覧表示済みの該当画像データの除外、図８（ａ），（ｂ）、図９（ａ），（ｂ）は画像編集済みの該当画像データの除外、図１０（ａ），（ｂ）、図１１（ａ），（ｂ）は利用者によって該当画像データごとに該当画像データから除外する設定がなされた場合の除外についての画面例である。この画面は一例であり、本発明の課題を解決するのであれば、他のレイアウトや画面遷移であってもよい。
【００６５】
図７では、例として２０ページの画像データ中、５ページが該当画像データとなっており、その中で該当画像データである１０ページ目が表示されている。
【００６６】
既にこの時点で閲覧表示済みとなり１０ページ目は該当画像データから除外されているため、要素５５の「進む」にて次の該当画像ページである１２ページ目を表示すると（図７（ｂ）の画面６０）、要素５３の「戻る」にて表示される該当画像データは１０ページ目ではなく、４ページ目となっている。
【００６７】
また、該当画像データの数が一つ減るため、要素５７の該当画像データ総数（分数の分母）は「４」となる。ここで、元々の該当画像データ総数も括弧表示で（５）と示している。また、要素５８の「確認済み」の数も更新されている。
【００６８】
図８（ａ），（ｂ）、図９（ａ），（ｂ）も図７と同様の画面例を示している。
【００６９】
表示されている１０ページ目を要素７９の「編集」の操作キーによって画像編集が行われない場合には、要素７５の「進む」にて次の該当画像ページである１２ページ目を表示しても（図８（ｂ）の画面８０）、要素７３の「戻る」にて表示される該当画像データは１０ページ目であり、要素７７の該当画像データ総数も変化しない。
【００７０】
しかし、要素９７の「編集」の操作キーによって１０ページ目の画像編集が行われ編集後の画像データが確定した場合には、編集済みとなり１０ページ目は該当画像データから除外される（図９（ａ）の画面８１）。
【００７１】
また、要素７８の「編集済み」の数も更新されている。既に１０ページ目は該当画像データから除外されているので、要素７５の「進む」にて次の該当画像ページである１２ページ目を表示すると（図９（ｂ）の画面８２）、要素７３の「戻る」にて表示される該当画像データは１０ページ目ではなく、４ページ目となっている。また、該当画像データの数が一つ減るため、要素７７の該当画像データ総数（分数の分母）は「４」となる。ここで、元々の該当画像データ総数も括弧表示で（５）と示している。
【００７２】
図１０（ａ），（ｂ）、図１１（ａ），（ｂ）も図７と同様の画面例を示している。
【００７３】
表示されている１０ページ目を仮に閲覧表示済みであっても編集済みであっても要素１００の「確認要対象から外す」のチェックが付いていない場合には、要素９５の「進む」にて次の該当画像ページである１２ページ目を表示しても（図１０（ｂ）の画面９１ａ）、要素９３の「戻る」にて表示される該当画像データは１０ページ目であり、要素９７の該当画像データ総数も変化しない。
【００７４】
しかし、要素１００の「確認要対象から外す」のチェックを利用者が付けた場合には（図１１（ａ）の画面９１ｂ）、１０ページ目は該当画像データから除外される。既に１０ページ目は該当画像データから除外されているので、要素９５の「進む」にて次の該当画像ページである１２ページ目を表示すると（図１１（ｂ）の画面９１ｃ）、要素９３の「戻る」にて表示される該当画像データは１０ページ目ではなく、４ページ目となっている。
【００７５】
また、該当画像データの数が一つ減るため、要素９７の該当画像データ総数（分数の分母）は「４」となる。ここで、元々の該当画像データ総数も括弧表示で（５）と示している。
【００７６】
以上説明したように、本実施例では、利用者が特に条件を指定せずに画像入力装置にて読み取る原稿の特徴から出力結果の画像データの特徴を決定する場合に、その特徴を決定づける要因に確証が持てない画像データだけを示して順次ページをめくるようにプレビューする手段を提供しているので、。これにより、読み取った原稿の画像データの中から利用者が確認したい特徴を決定づける要因に確証が持てない画像データのみを意識せずプレビューすることで効率的にかつ確実な画像データの確認と補正が可能となる。
【００７７】
また、確認した結果、画像データに補正をかけたものもしくは一度閲覧したものについてはプレビューする対象から外す手段を提供しているので、利用者が未確認もしくは未補正の画像データのみを画像データの位置を意識しなくてもプレビューすることが可能となり、効率的に画像データの確認と補正が可能となる。
【００７８】
また、利用者が指示した画像データについてはプレビューする対象から外す手段を提供しているので、、利用者が意図的に確認もしくは補正した画像データ以外の未確認もしくは未補正の画像データを画像データの位置を意識しなくてもプレビューすることが可能となり、効率的かつ確実に画像データの確認と補正が可能となる。
【００７９】
また、利用者が特に条件を指定せずに画像入力装置にて読み取る原稿の特徴から出力結果の画像データの特徴を決定する場合に、その特徴を決定づける要因に確証が持てない画像データの数を把握できる手段を提供しているので、、全画像データの中から利用者が確認するべき画像データの規模を把握することが可能となる。
【００８０】
また、利用者が特に条件を指定せずに画像入力装置にて読み取る原稿の特徴から出力結果の画像データの特徴を決定する場合に、その特徴を決定づける要因に確証が持てない画像データのうち、利用者によって画像データに補正をかけたものもしくは一度閲覧したものの数を把握できる手段を提供しているので、、全画像データの中から利用者が確認し補正した画像データの規模を把握することができ、確実な画像データの確認と補正が可能となる。
【００８１】
なお、上述した実施例では、図１の構成の画像読取装置に本発明を適用した場合について説明しているが、それ以外のドキュメントボックス機能などの画像蓄積機能を備えた画像処理装置（例えば、ネットワーク対応複合機など）についても、本発明を同様にして適用することができる。
【図面の簡単な説明】
【００８２】
【図１】本発明の一実施例にかかる画像処理装置の一例を示したブロック図。
【図２】利用者による原稿読み取り条件の設定と、読み取りにて画像データ生成を行い管理し、操作画面表示手段５に画像データをプレビュー表示するところまでの基本的な流れの一例を示したシーケンス図。
【図３】読取時の処理例を示したフローチャート。
【図４】文書プレビュー時の画面の一例を示した概略図。
【図５】表示処理の概略の一例を示したフローチャート（図６に続く）。
【図６】表示処理の概略の一例を示したフローチャート（図５の続き）。
【図７】画面例の一例を示した概略図。
【図８】画面例の第２の例を示した概略図（図９に続く）。
【図９】画面例の第２の例を示した概略図（図８の続き）。
【図１０】画面例の第３の例を示した概略図（図１１に続く）。
【図１１】画面例の第３の例を示した概略図（図１０の続き）。
【符号の説明】
【００８３】
３  読取制御手段
４  画像データ管理手段
６  条件記憶手段
７  プレビュー管理手段
８  ＣＰＵ（中央処理装置）
１１  画像入力デバイス
１５  画像特徴判定手段
１４  画像変換手段
【図１】
2008311899.tif 000003
【図２】
2008311899.tif 000004
【図３】
2008311899.tif 000005
【図４】
2008311899.tif 000006
【図５】
2008311899.tif 000007
【図６】
2008311899.tif 000008
【図７】
2008311899.tif 000009
【図８】
2008311899.tif 000010
【図９】
2008311899.tif 000011
【図１０】
2008311899.tif 000012
【図１１】
2008311899.tif 000013